(57)【要約】【課題】  Ｉ信号とＱ信号とに１シンボル以上の位相ずれが存在してもフレーム同期を行うことができ、ボーレートのままで同期が可能なシンボル同期方法を提供する。【解決手段】  まず受信したＩ成分信号とＱ成分信号とを１シンボル以上のずれを許容したままで、タイミング同期処理（２０）を行う。次にＩ信号とＱ信号とを1シンボルずつシフトさせた複数の組合せで、予め設定した同期用符号系列との相関処理を各々行い、相関値が最大となる組合せを検出してそのタイミングでフレーム同期（２２）を行う。そして最後に、1シンボル以内のタイミング間隔で複数の相関値を計測し、計測した相関値系列に予め設定した相関値関数で最小２乗近似処理を施し、相関値最大と推定されるタイミングを補間して同期位置と判定し、タイミング同期処理（２４）を行う。【選択図】図２
2014023091.tif 000002
【特許請求の範囲】
【請求項１】
受信信号のＩ成分信号とＱ成分信号とを用いて同期処理を行う無線同期方法において、
前記Ｉ成分信号と前記Ｑ成分信号とのフレームずれを同期させるフレーム同期ステップと、
フレーム同期した前記Ｉ成分信号と前記Ｑ成分信号との位相ずれをタイミング同期させる第１のタイミング同期ステップとを有することを特徴とする無線同期方法。
【請求項２】
請求項１に記載の無線同期方法において、更に、
前記フレーム同期ステップの前に、前記Ｉ成分信号と前記Ｑ成分信号との１チップ以内の位相ずれをタイミング同期させる第２のタイミング同期ステップ
を有することを特徴とする無線同期方法。
【請求項３】
請求項１に記載の無線同期方法において、
前記フレーム同期ステップは、前記Ｉ成分信号と前記Ｑ成分信号とを１チップずつシフトさせた複数の組合せで、予め設定した同期用符号系列との相関処理を各々行い、相関値が最大となる組合せを検出してそのタイミングでフレーム同期を行うことを特徴とする無線同期方法。
【請求項４】
請求項１に記載の無線同期方法において、
前記第１のタイミング同期ステップは、１チップ以内のタイミング間隔で複数の相関値を計測して相関値系列を作成し、前記相関値系列に放物線近似処理を適用して、相関値最大と推定されるタイミングを補間して同期位置として判定することを特徴とする無線同期方法。
【請求項５】
請求項１に記載の無線同期方法において、
前記第１のタイミング同期ステップは、１チップ以内のタイミング間隔で複数の相関値を計測して相関値系列を作成し、前記相関値系列に折れ線関数近似を適用して、相関値最大と推定されるタイミングを補間して同期位置として判定することを特徴とする無線同期方法。
【請求項６】
請求項１に記載の無線同期方法において、
予め同期用の符号系列パターンを設定し、同期用プリアンブル系列区間でスライディング相関処理を行い相関値系列を求めてその関数形状を近似処理で設定するステップを備え、
前記第１のタイミング同期ステップでは、１チップ以内のタイミング間隔によって複数の相関値を計測して相関値系列を作成し、前記相関値系列に前期設定した相関値関数を近似処理することにより、相関値最大となるタイミングを補間して同期位置として判定することを特徴とする無線同期方法。
【請求項７】
請求項２に記載の無線同期方法において、
復調方式としてπ／２シフトＢＰＳＫ方式を使用し、
前記第２のタイミング同期ステップは、信号値を１と判定した場合には１つ前の信号との内積を計算して、前記内積値の逆正弦関数（ａｒｃｓｉｎ）を位相誤差として保持し、一方、信号値を−１と判定した場合には１つ前の信号との内積値の逆正弦関数の−1倍を位相誤差として保持して、
一定区間内で保持した前記位相誤差を積分処理して平均位相誤差を推定し、その前記平均位相誤差の補正によりタイミング同期することを特徴とする無線同期方法。
【請求項８】
受信信号のＩ成分信号とＱ成分信号とを用いて同期処理を行う無線同期装置において、
前記Ｉ成分信号と前記Ｑ成分信号とのフレームずれを同期させるフレーム同期処理部と、
フレーム同期した前記Ｉ成分信号と前記Ｑ成分信号との位相ずれをタイミング同期させる第１のタイミング同期処理部とを有することを特徴とする無線同期装置。
【請求項９】
請求項８に記載の無線同期装置において、更に、
前記フレームずれを同期させる前に、前記Ｉ成分信号と前記Ｑ成分信号との１チップ以内の位相ずれをタイミング同期させる第２のタイミング同期処理部を有することを特徴とする無線同期装置。
【請求項１０】
請求項８に記載の無線同期装置において、
前記フレーム同期処理部は、前記Ｉ成分信号と前記Ｑ成分信号とを１チップずつシフトさせた複数の組合せで、予め設定した同期用符号系列との相関処理を各々行い、相関値が最大となる組合せを検出してそのタイミングでフレーム同期を行うことを特徴とする無線同期装置。
【請求項１１】
請求項８に記載の無線同期装置において、
前記第１のタイミング同期処理部は、１チップ以内のタイミング間隔で複数の相関値を計測して相関値系列を作成し、前記相関値系列に放物線近似処理を適用して、相関値最大と推定されるタイミングを補間して同期位置として判定することを特徴とする無線同期装置。
【請求項１２】
請求項８に記載の無線同期装置において、
前記第１のタイミング同期処理部は、１チップ以内のタイミング間隔で複数の相関値を計測して相関値系列を作成し、前記相関値系列に折れ線関数近似を適用して、相関値最大と推定されるタイミングを補間して同期位置として判定することを特徴とする無線同期装置。
【請求項１３】
請求項８に記載の無線同期装置において、
前記第１のタイミング同期処理部は、予め同期用の符号系列パターンを設定し、同期用プリアンブル系列区間でスライディング相関処理を行い相関値系列を求めてその関数形状を近似処理で設定し、
タイミング同期処理では、１チップ以内のタイミング間隔によって複数の相関値を計測して相関値系列を作成し、前記相関値系列に前期設定した相関値関数を近似処理することにより、相関値最大となるタイミングを補間して同期位置として判定することを特徴とする無線同期装置。
【請求項１４】
請求項９に記載の無線同期装置において、
復調方式としてπ／２シフトBPSK方式を使用し、
前記第２のタイミング同期処理部は、信号値を１と判定した場合には1つ前の信号との内積を計算して、前記内積値の逆正弦関数（ａｒｃｓｉｎ）を位相誤差として保持し、一方信号値を−１と判定した場合には1つ前の信号との内積値の逆正弦関数の−1倍を位相誤差として保持して、
一定区間内で保持した前記位相誤差を積分処理して平均位相誤差を推定し、その前記平均位相誤差の補正によりタイミング同期することを特徴とする無線同期装置。
【発明の詳細な説明】
【技術分野】
【０００１】
本発明は、無線復調装置において、受信信号の実数部であるＩ成分（Ｉｎ−ｐｈａｓｅ Ｃｏｍｐｏｎｅｎｔ）信号と虚数部であるＱ成分（Ｑｕａｄｒａｔｕｒｅ Ｃｏｍｐｏｎｅｎｔ）信号とからなるプリアンブル信号を用いた同期処理方法及び同期処理装置に関する。
【背景技術】
【０００２】
従来は、ＡＤＣ（Ａｎａｌｏｇ Ｄｉｇｉｔａｌ Ｃｏｎｖｅｒｔｅｒ）処理でのオーバサンプリングにより、プリアンブル信号の相関処理に基づいたシンボル同期処理が充分な精度で可能であった。しかしながら、高速ミリ波帯通信等ではＡＤＣ処理の負担が大きくなるため、オーバサンプリングを行わないボーレートのままで同期タイミングを推定できる処理が望まれている。
【０００３】
また、無線通信受信機の復調処理における受信信号の同期手段として、例えば特許文献１に記載されているように、同期用の既知系列パターンを用いて、プリアンブル区間でスライディング相関値をＩ信号とＱ信号とで各々算出し、Ｉ信号とＱ信号で絶対値の大きい方を判別してその成分の符号系列のみから相関ピーク位置を求め、フレーム同期を行う高速同期方法が公知である。
【先行技術文献】
【特許文献】
【０００４】
【特許文献１】特開２００８−３１１８０９号公報
【発明の開示】
【発明が解決しようとする課題】
【０００５】
ＡＤＣ処理でのオーバサンプリングを行わずにボーレートのままでシンボル同期処理を行うためには、粗い間隔の相関値系列データに基づいて相関値最大となる同期タイミングが推定可能な方法が必要となる。
【０００６】
また、特許文献１の方法では、予めＩ信号とＱ信号との位相ずれが１シンボル以内である条件が前提であり、それを越える位相ずれが発生しているとフレーム同期が不可能であった。
【０００７】
本発明は、Ｉ信号とＱ信号とに１シンボル以上の位相ずれが存在してもフレーム同期を行うことができ、ボーレートのままで同期が可能なシンボル同期方法を提供することを目的とする。
【課題を解決するための手段】
【０００８】
上記課題を解決するために、本発明の無線同期方法は、受信信号のＩ成分信号とＱ成分信号とを用いて同期処理を行う無線同期方法において、前記Ｉ成分信号と前記Ｑ成分信号とのフレームずれを同期させるフレーム同期ステップと、フレーム同期した前記Ｉ成分信号と前記Ｑ成分信号との位相ずれをタイミング同期させる第１のタイミング同期ステップとを有することを特徴とするものである。
【０００９】
本発明の無線同期方法において、更に、前記フレーム同期ステップの前に、前記Ｉ成分信号と前記Ｑ成分信号との１チップ以内の位相ずれをタイミング同期させる第２のタイミング同期ステップを有するようにしてもよい。
【００１０】
また、本発明の無線同期方法において、前記フレーム同期ステップは、前記Ｉ成分信号と前記Ｑ成分信号とを１チップずつシフトさせた複数の組合せで、予め設定した同期用符号系列との相関処理を各々行い、相関値が最大となる組合せを検出してそのタイミングでフレーム同期を行うものが好ましい。
【００１１】
また、本発明の無線同期方法において、前記第１のタイミング同期ステップは、１チップ以内のタイミング間隔で複数の相関値を計測して相関値系列を作成し、前記相関値系列に放物線近似処理を適用して、相関値最大と推定されるタイミングを補間して同期位置として判定するものが好ましい。
【００１２】
また、本発明の無線同期方法において、前記第１のタイミング同期ステップは、１チップ以内のタイミング間隔で複数の相関値を計測して相関値系列を作成し、前記相関値系列に折れ線関数近似を適用して、相関値最大と推定されるタイミングを補間して同期位置として判定するものが好ましい。
【００１３】
また、本発明の無線同期方法において、予め同期用の符号系列パターンを設定し、同期用プリアンブル系列区間でスライディング相関処理を行い相関値系列を求めてその関数形状を近似処理で設定するステップを備え、前記第１のタイミング同期ステップでは、１チップ以内のタイミング間隔によって複数の相関値を計測して相関値系列を作成し、前記相関値系列に前期設定した相関値関数を近似処理することにより、相関値最大となるタイミングを補間して同期位置として判定するものが好ましい。
【００１４】
また、本発明の無線同期方法において、復調方式としてπ／２シフトＢＰＳＫ方式を使用し、前記第２のタイミング同期ステップは、信号値を１と判定した場合には１つ前の信号との内積を計算して、前記内積値の逆正弦関数（ａｒｃｓｉｎ）を位相誤差として保持し、一方、信号値を−１と判定した場合には１つ前の信号との内積値の逆正弦関数の−1倍を位相誤差として保持して、一定区間内で保持した前記位相誤差を積分処理して平均位相誤差を推定し、その前記平均位相誤差の補正によりタイミング同期するものが好ましい。
【発明の効果】
【００１５】
本発明によれば、ハードウェアの制約等でＩ信号とＱ信号とに１シンボル以上の位相ずれが存在しても、Ｉ信号とＱ信号との複数の組合せでの相関計算をデジタル信号処理で実施することにより、フレーム同期ができる。また、相関値関数の補間処理によりボーレートでのシンボル同期が可能となる。
【図面の簡単な説明】
【００１６】
【図１】本発明の無線受信装置の１構成例を示す図である。
【図２】本発明の同期処理部の構成を示す図である。
【図３】本発明のＩ／Ｑタイミング偏差の同期処理を示す図である。
【図４】本発明のＩ／Ｑタイミング偏差の同期処理の処理手順を示す図である。
【図５】本発明のタイミング補間による同期処理を示す図である。
【図６】本発明のタイミング補間の処理手順を示す図である。
【図７】本発明の符号系列に応じたタイミング補間方法を示す図である。
【図８】本発明のタイミング補間による同期処理の処理手順を示す図である。
【図９】本発明の位相誤差の例を示す図である。
【図１０】本発明の位相誤差抽出・同期の処理手順を示す図である。
【発明を実施するための形態】
【００１７】
ミリ波無線通信技術の進展に伴い広帯域化による高速伝送が可能となるが、高速化に対処するＡＤＣの性能に制限があるため、充分なオーバサンプリング処理が困難になる。そこで、無線伝送でのフレーム同期処理をボーレートのまま実現できれば、ＡＤＣ処理の負荷が大幅に軽減される。本発明では、無線受信装置において、検波されたＩ成分信号及びＱ成分信号を用いて、プリアンブル信号の予め設定した同期用符号系列との相関処理に基づき、ボーレートでの同期処理を可能とする。そのための本発明の無線受信装置の構成例を図１に示す。アンテナで受信した信号は、低雑音アンプ（ＬＮＡ:Ｌｏｗ Ｎｏｉｓｅ Ａｍｐｌｉｆｉｅｒ）１１で増幅されてからダウンコンバータ（ＤＮＣ:Ｄｏｗｎ Ｃｏｎｖｅｒｔｅｒ）１２で中間周波数に変換される。そして、直交検波部１３によりＩ信号とＱ信号の直交成分に分離され、ＡＤＣ１４でデジタル信号が生成される。それらのＩ信号及びＱ信号に対して、本発明のプリアンブル同期処理部１５で同期処理を行い、位相制御部１６により同期タイミングが調整される。そして、π／２シフトＢＰＳＫ復号部１７で同期した信号データに復号処理を施し、無線パケット分解部１８で無線パケットに分解して受信データ情報が得られる。全体の装置構成は、従来の受信方式に準じた構成である。  ここで無線方式は、ＩＥＥＥ８０２．１５．３ｃ規格に従い、π／２シフトＢＰＳＫ（Ｂｉｎａｒｙ Ｐｈａｓｅ Ｓｈｉｆｔ Ｋｅｙｉｎｇ）復調方式の適用を例とした。この方式の場合は、１シンボルは１チップに該当する。
【００１８】
本発明のプリアンブル同期処理部１５の詳細な構成を図２に示す。ミリ波通信では１チップ間隔が短いので、Ｉ信号とＱ信号の位相ずれが大きくなり、１チップを越えたずれを許容し想定する。具体的な同期処理手順を図２（ａ）の３段階処理で説明する。
まず、第２のタイミング同期処理２０で、Ｉ成分とＱ成分の信号変化タイミングを１チップ以内で位相をタイミング同期する。このときＩ成分とＱ成分との信号対応は、１チップ以上ずれていてもそのままとなる。位相同期にはπ／２シフトＢＰＳＫの特性を利用し、その方法については後述する。次に、フレーム同期処理２２を、プリアンブル符号との相関処理に基づいて行い、Ｉ成分とＱ成分の信号対応を修正する（詳細方法は後述）。
最後に、第１のタイミング同期処理２４を行い、ボーレートの制限で取得した複数タイミングの相関値を用いて、補間処理を適用してタイミング同期処理を実施する（詳細方法は後述）。尚、図２（ｂ）に示すように、第２のタイミング同期処理を行わずに、フレーム同期処理２２から開始して、その後第１のタイミング同期処理２４を実施する２段階処理構成も可能である。
【００１９】
まず、第２のタイミング同期処理後のフレーム同期処理２２に関して、図３に、本発明のＩ/Ｑ信号タイミング偏差の同期処理を示す。Ｉ/Ｑ信号は、±１チップ範囲内で切替りタイミングが同期制御されているとする。ここで、Ｉ/Ｑ信号の１チップ以上の位相ずれは、一定のまま保持されている。
【００２０】
まず、I信号の開始位置tからのｍフレーム連続パターン（例えばｍ＝８）をｐI（ｔ）として、Ｉ/Ｑ信号の相関加算を次式で計算する。
【００２１】
【数１】
2014023091.tif 000003
【００２２】
ここで、I(pI(t))はｐI(t)と対応する同期基準パターンとの積を表す（Q(pQ(t))も同様）。尚、Ｉ/Ｑ信号のずれが±５チップ以内と仮定した場合、Ｑ信号のパターンｐＱはｉ＝−５〜５の範囲１１パターンで変化させる。そして、ｔを変化させてＳ（ｔ，ｉ）の最大値を求め、その値が一定の閾値以上であればフレーム同期タイミングtを決定し、同時にＱ信号をiチップ分だけシフトしてＩ/Ｑ信号フレーム同期を補正する。ここで、一定の閾値以上としたのは、最大値が一定の閾値以上でなければ、同期が検出されていないと考えられるからである。
【００２３】
以上に記載した本発明のＩ/Ｑ信号タイミング偏差同期処理の処理手順を、図４に示す。最初に±１シンボル範囲内で切替りタイミングが同期制御される（Ｓ４０１）。そして、全てのＩ信号候補の計算（Ｓ４０２）、更に全てのＱ信号候補の計算（Ｓ４０３）が終わるまで、Ｉ/Ｑ信号の相関加算（数１）を計算する（Ｓ４０４）。各候補で計算された相関加算値から最大値を求め（Ｓ４０５）、一定の閾値以上であれば（Ｓ４０６）そのＩ/Ｑ信号の組合せで同期を行い（Ｓ４０７）処理を終了し、閾値を越えなければ新たなタイミングで±１シンボル範囲内の切替りタイミングの同期制御から処理を繰り返す。
【００２４】
以上のフレーム同期処理終了後に、チップ同期処理を実施するための第１のタイミング同期処理方法を、図５に示す。想定するＩＥＥＥ８０２．１５．３ｃ規格では、プリアンブルは１２８チップと規定されている。プリアンブルとその一部分からなる同期用系列パターンとの相関処理をタイミングを変化させて実施できる回数は、ＡＤＣ速度との兼ね合いから制限されるため、充分な相関値数の系列を得る事が困難である。そこで本発明では、関数補間処理に基づいて相関値最大となる同期タイミングを推定する。
得られる相関値を３点と条件を仮定して、具体的な処理方法を説明する。判定可能なタイミングを１／３間隔とすれば、各タイミングはｔ０,ｔ１＝ｔ０＋１/３チップ，ｔ２＝ｔ０＋２/３チップである。そして各タイミングでの２乗相関値を、Ｓ（ｔ０）,Ｓ（ｔ１）,Ｓ（ｔ２）,及びＳ（ｔ３＝ｔ０）とする。そして２乗相関の最大値をＳ’（ｉ＝０）と設定し、前後のタイミングの相関値をＳ’（−１）及びＳ’（１）とする。典型図を図５（ａ）に示す。これらの相関値に対して、放物線近似に基づき最大値と推定されるタイミング位置ｉｏｐｔを補間推定する。放物線近似で推定される最大値のタイミングは、次式で計算される。
【００２５】
【数２】
2014023091.tif 000004
【００２６】
ここで、チップ間隔としては１／４チップ等の異なる間隔でも可能であり、間隔が狭い程推定精度の向上が期待できる。
【００２７】
補間に使用する近似関数は必ずしも放物線に限定されず、相関用の符号パターンに応じた変更が有効である。補間関数として折れ線近似を適用する場合の典型例を図５（ｂ）に示す。図において、S’(i＝−1)とS’(i＝0)とで直線近似を行い、次にS’(i＝1)を通る同じ傾きの直線近似を行う。折れ線近似で推定される最大値のタイミング位置ｉｏｐｔは、次式で算出可能である。
【００２８】
【数３】
2014023091.tif 000005
【００２９】
以上に述べた関数補間処理に基づいて、同期タイミングを推定する処理手順を図６に示す。最初に、使用する相関用符号パターンに応じて相関関数形状を設定する（Ｓ６０１）。次に判定タイミングを設定して（例えば３点）（Ｓ６０２）、各タイミングでの２乗相関値を求める（Ｓ６０３）。尚、タイミング間隔は等間隔に限定されず、また２乗相関値の代わりに絶対値誤差や２乗誤差を用いる事も可能である。そして求めたタイミングでの最大相関をＳ’（ｉ＝０）と置き、前後のタイミングの相関値をＳ’（−１）及びＳ’（１）と置いて（Ｓ６０４）、設定関数での近似処理に基づき最大値と推定されるタイミング位置ｉｏｐｔを補間推定する（Ｓ６０５）。
【００３０】
更に、相関用符号パターンが中心対象の系列でない場合には相関値系列も対象形ではなくなるため、補間近似に用いる関数形状を非対象に設定する事が有効である。図７に非対称な相関値系列の典型例を、実線で示す。相関値系列は予めノイズの無い理想値で算出し、最大値の前後で例えば最小２乗近似により補間直線の傾きａ１（＞０）及びａ２（＜０）を決定する。これらの傾きを用いて、非対称な折れ線近似で推定される最大値のタイミング位置ｉｏｐｔは、次式で与えられる。
【００３１】
【数４】
2014023091.tif 000006
【００３２】
図８に、本発明の相関値系列に基づくタイミング補間の相関関数形状を設定する処理手順を示す。まず同期用パターンの符号系列を設定する（Ｓ８０１）。次に符号系列全体と同期用パターンとのスライディング相関処理を実施し（Ｓ８０２）、スライディング位置毎に得られた相関値の中から最大相関値となる位置を調査する（Ｓ８０３）。そして最大相関位置前後の一定区間を最小２乗法等で線形近似して（Ｓ８０４）、その線形近似関数を補間に用いる相関関数形状として設定する（Ｓ８０５）。
【００３３】
次に、図２（ａ）で記載したフレーム同期処理前の第２のタイミング同期処理の方法を説明する。復調方式としてπ／２シフトＢＰＳＫを仮定して、その特性を利用してタイミング同期処理を実施する。π／２シフトＢＰＳＫ復調方式とは、１シンボルの変調毎にπ／２ラジアン（９０°）位相の異なるＢＰＳＫを交互に用いるシステムである。つまり、Ｉ成分またはＱ成分に着目すると、各々±１と０とを交互に繰り返す系列となる。
【００３４】
実際には信号の不確定性を考慮して、任意の位相角度をθとおいた時の信号空間の典型例を図９に示す。ここで、振幅は規格化されているとして発生する位相誤差をεとし、あるタイミングでのサンプル点の座標をＳ１＝（ｃｏｓθ，ｓｉｎθ）、次タイミングでの理想的な＋９０°位相シフトのサンプル点をＳ’２＋＝（−ｓｉｎθ，ｃｏｓθ）、理想的な−９０°位相シフトのサンプル点をＳ’２−＝（ｓｉｎθ，−ｃｏｓθ）、実際の＋９０°位相シフトのサンプル点をS２＋＝（−ｓｉｎ（θ−ε），ｃｏｓ（θ−ε））、そして実際の−９０°位相シフトのサンプル点をS２−＝（ｓｉｎ（θ−ε），−ｃｏｓ（θ−ε））とおく。図９に基づいて、まず信号の判定方法を述べる。サンプル点Ｓ１からの理想的な＋９０°位相シフトのサンプル点Ｓ’２＋と、実際の＋９０°位相シフトのサンプル点Ｓ２＋との内積を計算すると次式となる。
【００３５】
【数５】
2014023091.tif 000007
【００３６】
また同様に、サンプル点Ｓ’２＋と、実際の−９０°位相シフトのサンプル点Ｓ２−との内積を計算すると次式である。
【００３７】
【数６】
2014023091.tif 000008
【００３８】
したがって｜ε｜≒0とすると、ｃｏｓε≒１であれば＋９０°シフトしたと判定（信号値１）し、ｃｏｓε≒−１であれば−９０°シフトしたと判定（信号値−１）することが可能となる。
【００３９】
次に、あるサンプル点は次のサンプル点と理想的に±９０°の位相差を持つので内積が常に０となる特性に基づいて、サンプル点の判定結果に応じた位相誤差を算出する。＋９０°位相シフトする場合の位相誤差は、次式で与えられる。
【００４０】
【数７】
2014023091.tif 000009
【００４１】
一方、−９０°位相シフトする場合の位相誤差は次式となる。
【００４２】
【数８】
2014023091.tif 000010
【００４３】
つまり、サンプル点の判定結果によって位相誤差の回転方向が異なるので、位相誤差は上記に基づき得られた値と判定値との乗算結果を、一定区間で積分する事によって推定する事ができる。
【００４４】
以上のように位相誤差を抽出して、タイミング同期を実施する処理手順を図１０に示す。まず評価区間を設定し（Ｓ１００１）、評価区間内であれば（Ｓ１００２）、信号値の判定を行い（Ｓ１００３）、その判定値に応じた位相誤差の計算処理を繰り返す（Ｓ１００４）。評価区間内での位相誤差の計算を終了したら、位相誤差量を積分して平均位相誤差を推定し（Ｓ１００５）、誤差量をシフトさせてＩ/Ｑ信号の位相誤差を同期させて（Ｓ１００６）、処理を終了する。尚、本処理では１チップ以内の位相誤差を同期させることを可能とするが、１チップを越えるＩ/Ｑ信号のずれはそのまま保持される。そこで、図２で記載した次段階のフレーム同期処理でＩ/Ｑ信号のずれが補正される。尚、π／２シフトＢＰＳＫ以外の復調方式を適用する場合には、第１のタイミング同期処理について前述した相関関数の補間に基づいてシンボル同期処理を実施することもできる。
【産業上の利用可能性】
【００４５】
本発明は無線通信装置以外に、符号系列相関を利用したレーダ装置や有線通信の受信装置へも適用可能である。
【符号の説明】
【００４６】
１１  低雑音アンプＬＮＡ
１２  ダウンコンバータＤＮＣ
１３  直交検波部
１４  アナログデジタルコンバータＡＤＣ
１５  プリアンブル同期処理部
１６  位相制御部
１７  π／２シフトＢＰＳＫ復号部
１８  無線パケット分解部
２０  第２のタイミング同期処理
２２  フレーム同期処理
２４  第１のタイミング同期処理
【図１】
2014023091.tif 000011
【図２】
2014023091.tif 000012
【図３】
2014023091.tif 000013
【図４】
2014023091.tif 000014
【図５】
2014023091.tif 000015
【図６】
2014023091.tif 000016
【図７】
2014023091.tif 000017
【図８】
2014023091.tif 000018
【図９】
2014023091.tif 000019
【図１０】
2014023091.tif 000020